(57)【要約】      （修正有）【課題】口臭チェック装置を備えた携帯電話機を提供する。【解決手段】携帯電話機器１は、音を入力するためのマイクロフォン６、マイクロフォン６の近傍に配置された匂いセンサ５、匂いセンサ５からの検出結果に基づき呼気の匂い判定を行う匂い判定部１２、および匂いセンサ５からの検出結果に基づく呼気の匂い判定の結果を通知する通知部２、１０を備えている。【選択図】図２
2005086405.tif 000002
【特許請求の範囲】
【請求項１】
音を入力するためのマイクロフォン、前記マイクロフォンの近傍に配置された匂いセンサ、前記匂いセンサからの検出結果に基づき前記呼気の匂い判定を行う匂い判定部およびこの匂いセンサからの検出結果に基づく呼気の匂い判定の結果を通知する通知部を備えていることを特徴とする、携帯電話機器。
【請求項２】
音を入力するためのマイクロフォン、前記マイクロフォンの近傍に配置された匂いセンサ、前記匂いセンサからの検出結果を送信し、前記匂いセンサからの検出結果に基づく呼気の匂い判定の結果を受信するデータ通信部、および前記匂い判定結果を通知する通知部を備えていることを特徴とする、携帯電話機器。
【請求項３】
音を入力するためのマイクロフォン、前記マイクロフォンの近傍に配置された匂いセンサ、前記匂いセンサからの検出結果に基づき前記呼気の匂い判定を行う匂い判定部およびこの匂いセンサからの検出結果に基づく呼気の匂い判定の結果を通知する通知部を備えている携帯電話機器を使用し、通話時に前記匂いセンサを起動し、前記匂い判定を行うことを特徴とする、呼気の匂いの測定方法。
【請求項４】
音を入力するためのマイクロフォン、前記マイクロフォンの近傍に配置された匂いセンサ、前記匂いセンサからの検出結果を送信し、前記匂いセンサからの検出結果に基づく呼気の匂い判定の結果を受信するデータ通信部、および前記匂い判定結果を通知する通知部を備えている携帯電話機器を使用し、前記匂いセンサからの検出結果をサーバに無線送信し、前記サーバにおいて前記検出結果に基づいて前記匂い判定結果を算出し、この匂い判定結果を前記データ通信部へと無線送信することを特徴とする、呼気の匂いの測定方法。
【発明の詳細な説明】
【技術分野】
【０００１】
本発明は、携帯電話機器および呼気の匂いの測定方法に関するものである。
【背景技術】
【０００２】
特許文献１には、持ち運び可能な口臭チェック装置が記載されている。特許文献２には、持ち運び可能な携帯ゲーム機器において、口臭を感知するセンサを取り付け、口臭の検出結果に応じて画面上に種々のキャラクタを表示するゲームが記載されている。
【特許文献１】実用新案登録第２５７３８６５号公報
【特許文献２】特開２００２−２７３０３２号公報
【発明の開示】
【０００３】
特許文献１、２に記載の持ち運び可能な口臭チェック装置においては、口臭をチェックする際には、装置を起動し、口臭センサへと呼気を吐くという動作が必要である。このため、運搬および操作が面倒であり、実用性が乏しい。
【０００４】
本発明の課題は、持ち運び可能であり、かつ運搬および操作が容易な口臭チェック装置を提供することである。
【０００５】
第一の発明は、音を入力するためのマイクロフォン、マイクロフォンの近傍に配置された匂いセンサ、匂いセンサからの検出結果に基づき呼気の匂い判定を行う匂い判定部およびこの匂いセンサからの検出結果に基づく呼気の匂い判定の結果を通知する通知部を備えていることを特徴とする、携帯電話機器に係るものである。
また、第一の発明は、この携帯電話機器を使用し、通話時に匂いセンサを起動し、匂い判定を行うことを特徴とする、呼気の匂いの測定方法に係るものである。
【０００６】
第一の発明によれば、マイクロフォンの近傍に匂いセンサを配置し、通話時に呼気中の匂い成分を検出し、この検出結果に基づいて匂い判定を行い、携帯電話機器の使用者に通知するようになっている。従って、携帯電話機器とは別体の口臭チェック装置を運搬する必要がない。その上、通話時に匂いセンサが起動され、マイクロフォンに吐きつけられる呼気中の匂い成分を検知するので、操作が容易であり、実用的であって、産業の発達に寄与するものである。
【０００７】
第二の発明は、音を入力するためのマイクロフォン、マイクロフォンの近傍に配置された匂いセンサ、匂いセンサからの検出結果を送信し、匂いセンサからの検出結果に基づく呼気の匂い判定の結果を受信するデータ通信部、および匂い判定結果を通知する通知部を備えていることを特徴とする、携帯電話機器に係るものである。
また、第二の発明は、この携帯電話機器を使用し、匂いセンサからの検出結果をサーバに無線送信し、サーバにおいて検出結果に基づいて匂い判定結果を算出し、この匂い判定結果をデータ通信部へと無線送信することを特徴とする、呼気の匂いの測定方法に係るものである。
【０００８】
第二の発明によれば、上記した作用効果に加えて、更に匂い成分検出のための演算を容易に行えるという利点がある。即ち、匂い成分の演算は比較的複雑な演算処理を必要とする。これは極微量の匂い成分分子の膜への吸着量を測定するものだからである。従って、このような演算処理を携帯電話機器中の限られた資源で実行することは、多大な演算負担を携帯電話機器に課することになる。このため携帯電話機器の他の機能に遅延が生じたり、携帯電話機器の電力消費量を増大させるおそれがある。従って、匂いセンサからの検出結果をいったんサーバへと伝送し、複雑な演算処理をサーバで実行し、この演算結果を再び携帯電話機器へと通信することによって、携帯電話機器への多大な演算負担を削減でき、携帯電話機器の消費電力の増大を防止できる。
【発明を実施するための最良の形態】
【０００９】
以下、図面を参照しつつ、更に詳細な実施形態について述べる。
図１は本発明の一実施形態に係る携帯電話機器１を模式的に示す図である。携帯電話機器１は、本体７、表示部２、アンテナ４、入力キー３を備えている。本体７の下部には、マイクロフォン６と匂いセンサ５とが設けられている。マイクロフォン６と匂いセンサ５とは、所定の基盤９上に実装されており、多孔部８によって被覆されている。
【００１０】
図２は、携帯電話機器１の構成例を示すブロック図である。アンテナ４はデータ通信部に取り付けられており、図示しない基地局無線装置と無線回線を介して双方向通信を行えるようになっている。データ通信部１３は制御部１２に接続されている。制御部１２は更に表示部２、匂いセンサ５、電源１１、スピーカ１０、マイクロフォン６および入力キー３に接続されている。
【００１１】
図３に本実施形態のフローチャートを示す。通常は匂いセンサ５をオフ状態にしておくことによって、消費電力を低減する。音声による通話が予想される状況になった場合に、匂いセンサ５を起動する。この起動条件は特に限定されないが、以下を例示できる。
（１）  手動によってに入力キー３の数字が押され、電話番号の入力がなされたと判定できたとき
（２）  通話相手からの音声信号を検出したとき
【００１２】
匂いセンサ５が起動されると、匂いセンサ５とへ吐きつけられる呼気に応じて所定の検出結果が出力される。この出力は制御部１２に送られる。本例では、制御部１２は匂い結果判定部として機能する。制御部１２は、通常のマイクロコンピュータであり、演算部、ＲＡＭ、ＲＯＭを備えている。
【００１３】
匂いセンサおよび匂い結果判定部の構成は特に限定されない。
一例としては、特許第３００３８１１号公報、特開平５−３４６３８４号公報、特許第３１３９５６２号公報に記載のような、水晶振動子マイクロバランス装置を利用できる。また、特許第２７９１４７２号公報に開示されている半導体センサにより構成できる。半導体センサは、所定の電圧の印加がなされると共にヒーターにより加熱されたアルミナ基板の露出面を、所定厚さの酸化錫の層で被覆することにより形成される。例えば炭酸水素系ガス、揮発性硫化物、アルコール類、一酸化炭素、イソブタン、メタン、アンモニアなどを検出対象とすることができる。
【００１４】
次いで、匂い判定結果を携帯電話機器の使用者に通知する。この際の通知方法は特に限定されない。例えば、制御部１２から結果をスピーカ１０に伝送し、通話中に判定結果を通知することができる。あるいは、制御部１２から結果を表示部２へと伝送することができる。この際には、通話中に表示部２に結果を表示でき、あるいは、通話終了後に結果を表示部２に表示できる。匂い測定は一回で終了することができる。あるいは、複数回の匂い測定を繰り返すことも可能である。
【００１５】
次いで、第二の発明の一実施形態について述べる。
図４は、携帯電話機器２１とサーバ１５との各構成例を示す機能ブロック図である。図５は、携帯電話機器側の動作を示す各フローチャートであり、図６、図７は、サーバ側の動作を示す各フローチャートである。
【００１６】
図４に示すように、本例の携帯電話機器２１は、制御部１２、電源１１、表示部２、データ通信部１３、匂いセンサ５、スピーカ１０、マイクロフォン６および入力キー３を備えている。またサーバ１５は、アンテナ４Ａ、データ通信部１３および匂い判定部１６を備えている。匂い判定部１６は、通常のマイクロコンピュータであり、演算部、ＲＡＭ、ＲＯＭを備えている。
【００１７】
図５の左側のフローチャートに示すように、音声通話の開始の有無を前述のように判定する。次いで、音声通話開始が予測された場合には、匂いセンサ５を起動し、匂いセンサ５からの出力を制御部１２に取り込み、データ通信部１３から匂いセンサ出力を送信する。そして、結果受信待有り状態に入り、送信手順を終了する。匂いセンサ５の出力は、通話中に送信することができ、あるいは、通話完了後に送信することができる。
【００１８】
図６に示すように、サーバ１５においては、データ通信部１３から匂いセンサ５の結果データを受信する。次いで、受信データに対して、匂い判定部１６において所定の演算を施す。得られた判定結果をいったんメモリーに保存する。
【００１９】
この後の判定結果の携帯電話機器への送信方法は特に限定されない。一実施形態においては、図５の右側のフローチャートに示すように、結果待受信状態の場合には、匂い判定結果の送信を要求する。サーバ１５においては、図６に示すように、判定結果の送信要求が一定時間内にない場合には、メモリー内の判定結果をクリアする。携帯電話機器から判定結果の送信要求があった場合には、データ通信部１３およびアンテナ４Ａから判定結果を送信し、判定結果をクリアする。これに応じて、図５の右側のフローチャートに示すように、携帯電話機器が匂い判定結果を受信する。判定結果は、通話中に音声としてスピーカから通知することができる。あるいは、通話中あるいは通話後に表示部２に表示することができる。この通知が終了すると、結果受信待状態は解除される。
【００２０】
また、別の実施形態においては、サーバ１５から携帯電話機器へとメールによって送信することができる。この場合には、図７のフローチャートに示すように、匂いセンサによる測定値を携帯電話機器から受信した後、匂い判定を行い、匂い判定結果をメール送信する。このメールを携帯電話機器によって受信する。後は通常のように携帯電話機器の使用者がメールを読む。
【００２１】
匂いセンサはマイクロフォンの近傍に配置することが、呼気を収集する上で好ましい。呼気を効果的に収集するためには、匂いセンサは、マイクロフォンから３０ｍｍ以内に配置することが好ましく、２０ｍｍ以内に配置することが一層好ましい。また、この観点からは、図１に示すように、匂いセンサをマイクロフォンと同一面上に配置することが好ましく、匂いセンサをマイクロフォンと同一列上、またはマイクロフォンを中心とした同心円の円周上に並べることが好ましい。
【図面の簡単な説明】
【００２２】
【図１】第一の発明の実施形態に係る携帯電話機器１を模式的に示す正面図である。
【図２】携帯電話機器１を示す機能ブロック図である。
【図３】携帯電話機器１における処理プロセスを示すフローチャートである。
【図４】第二の発明の実施形態に係る携帯電話機器２１およびサーバ１５の機能ブロック図である。
【図５】携帯電話機器２１における匂いセンサによる測定および送信例を示すフローチャート、および携帯電話機器２１における匂い判定結果の直接受信プロセスを示すフローチャートである。
【図６】携帯電話機器において匂い判定結果を直接受信する場合の、サーバ側における送信プロセスを示すフローチャートである。
【図７】サーバから匂い判定結果をメールとして送信するプロセスを示すフローチャートである。
【符号の説明】
【００２３】
１、２１  携帯電話機器        ２  表示部        ３  入力キー        ４、４Ａ  アンテナ        ５  匂いセンサ        ６  マイクロフォン        ７  本体        ９  基盤        １０  スピーカ        １１  電源        １２  制御部        １３  データ通信部          １５  サーバ        １６  匂い判定部
【図１】
2005086405.tif 000003
【図２】
2005086405.tif 000004
【図３】
2005086405.tif 000005
【図４】
2005086405.tif 000006
【図５】
2005086405.tif 000007
【図６】
2005086405.tif 000008
【図７】
2005086405.tif 000009